(57)【要約】【課題】  原稿の一方の面を読み取る密着型イメージセンサ（ＣＩＳ）を具備する画像読取装置において、ＣＩＳが担持された上ガイド部材本体の製造誤差の累積等の影響を受けることなく、ＣＩＳを原稿搬送方向に正確に位置決めする手段を提供する。【解決手段】  本画像読取装置１は、搬送路９の最下流部を形成し、底部３４に開口部３５が形成されてなる上ガイド部材本体３６と、この上ガイド部材本体３６に担持され、開口部３５を通して原稿Ｐを読み取るＣＩＳ１０と、原稿ＰをＣＩＳ１０に密着させるプラテンローラ１７とを具備してなる画像読取装置１において、ＣＩＳ１０の両端部に、嵌合溝３８ａが形成された位置決め部材４０が設けられ、開口部３５の両側に、位置決め部材４０が移動可能に挿通される挿通穴４３が形成され、挿通穴４３に位置決め部材４０がそれぞれ挿通されて、その嵌合溝３８ａがプラテンローラ１７のローラ軸１７ａに嵌合したものである。【選択図】  図１
2005167851.tif 000002
【特許請求の範囲】
【請求項１】
給紙トレイと排紙トレイとを連通し、上方から下方へＵ字状に湾曲して形成された搬送路と、該搬送路の最下流部を形成する上下一対のガイド部材のうち上側に配置され、その底部に開口部が形成されてなる上ガイド部材本体と、この上ガイド部材本体に担持され、搬送路を搬送される原稿の一方の面を前記開口部を通して読み取る密着型イメージセンサと、該密着型イメージセンサに回転自在に圧接され、原稿を前記密着型イメージセンサに密着させるプラテンローラとを具備してなる画像読取装置において、
前記密着型イメージセンサの両端部に、嵌合溝が形成された位置決め部材が設けられ、
前記上ガイド部材本体の開口部の両側に、前記位置決め部材が原稿搬送方向に所定範囲内で移動可能に挿通される挿通穴が形成され、
前記挿通穴に前記位置決め部材がそれぞれ挿通されて、その嵌合溝が前記プラテンローラのローラ軸に嵌合することにより、密着型イメージセンサの原稿搬送方向の位置決めがなされていることを特徴とする画像読取装置。
【発明の詳細な説明】
【技術分野】
【０００１】
本発明は、原稿の一方の面を読み取る密着型イメージセンサを具備する画像読取装置に関し、特に、搬送路を形成する上ガイド部材の製造誤差の累積等の影響を受けずに、密着型イメージセンサを原稿搬送方向に確実に位置決めすることが可能な画像読取装置に関するものである。
【背景技術】
【０００２】
コピー機、ファックス機、スキャナ等では、密着型イメージセンサで原稿の一方の面の読み取りを行う画像読取装置を具備するものがある。図１２は、従来の画像読取装置における画像読取部の一例を示す概略縦断面図である（特許文献１参照）。図に示すように、画像読取部７０は、図示しない搬送路を搬送される原稿Ｐに密着して原稿画像を読み取る、所謂密着型イメージセンサ（Contact Image Sensor、以下「ＣＩＳ」という。）７１、及びＣＩＳ７１の側面に取り付けられ、支軸７２が突設されてなる保持ブラケット７３を備えてなる読取手段７４と、開口部７５を有する軸受部７６、この軸受部７６に連通する軸受溝７７が形成された左右一対の側面部７８、及びこれら側面部７８を連結する連結部７９で構成された取付ブラケット８０と、取付ブラケット８０の連結部７９に取り付けられた板ばね８１と、回転支軸８２の両端に軸受８３が取り付けられてなるプラテンローラ８４とを具備してなるものである。画像読取部７０の組み立てに際しては、まず、保持ブラケット７３の支軸７２を軸受部７６の開口部７５から軸受溝７７へと挿入することにより読取手段７４を取付ブラケット８０に支持する。次に、軸受８３を軸受部７６に嵌合させることにより、プラテンローラ８４を取付ブラケット８０に回転自在に支持する。このように、読取手段７４とプラテンローラ８４を支持してユニット化した取付ブラケット８０の側面部７８を、前記コピー機等の内部の図示しないフレーム対して、ねじ締結等により固定している。
【０００３】
以上のように構成される画像読取部７０では、軸受部７６に嵌合した軸受８３が、上下左右の動きが規制されて軸受部７６に固定されているので、ＣＩＳ７１は、プラテンローラ８４と板ばね８１とで挟持されるようにして保持される。この時、プラテンローラ８４が、ＣＩＳ７１の図示しない読取領域に圧接され、このプラテンローラ８４によって搬送路を搬送される原稿ＰがＣＩＳ７１の読取領域に密着されるものとなっている。これにより、ＣＩＳ７１による良好な画像読み取りが可能となっている。
【０００４】
【特許文献１】特開平５−２３６１９９号公報
【発明の開示】
【発明が解決しようとする課題】
【０００５】
しかし、従来の画像読取装置では、画像読取部７０を構成する各部材の製造誤差の累積、及び組み立て誤差等により、ＣＩＳ７１とプラテンローラ８４との相対的な位置関係に、原稿搬送方向へのずれが生じる場合がある。この場合、原稿ＰがＣＩＳ７１の読取領域に正確に密着されず、読取精度が劣化して画像不具合が発生するという問題がある。
【０００６】
本発明は、このような問題に鑑みてなされたものであり、原稿の一方の面を読み取るＣＩＳを具備する画像読取装置において、画像読取部を構成する各部材の製造誤差の累積等の影響を受けることなく、ＣＩＳを原稿搬送方向に正確に位置決めして、良好な画像読み取りを可能とする手段を提供する。
【課題を解決するための手段】
【０００７】
上記目的を達成するための請求項１の発明は、給紙トレイと排紙トレイとを連通し、上方から下方へＵ字状に湾曲して形成された搬送路と、該搬送路の最下流部を形成する上下一対のガイド部材のうち上側に配置され、その底部に開口部が形成されてなる上ガイド部材本体と、この上ガイド部材本体に担持され、搬送路を搬送される原稿の一方の面を前記開口部を通して読み取る密着型イメージセンサと、該密着型イメージセンサに回転自在に圧接され、原稿を前記密着型イメージセンサに密着させるプラテンローラとを具備してなる画像読取装置において、前記密着型イメージセンサの両端部に、嵌合溝が形成された位置決め部材が設けられ、前記上ガイド部材本体の開口部の両側に、前記位置決め部材が原稿搬送方向に所定範囲内で移動可能に挿通される挿通穴が形成され、前記挿通穴に前記位置決め部材がそれぞれ挿通されて、その嵌合溝が前記プラテンローラのローラ軸に嵌合することにより、密着型イメージセンサの原稿搬送方向の位置決めがなされているものである。
【発明の効果】
【０００８】
本発明に係る画像読取装置によれば、給紙トレイと排紙トレイとを連通し、上方から下方へＵ字状に湾曲して形成された搬送路と、該搬送路の最下流部を形成する上下一対のガイド部材のうち上側に配置され、その底部に開口部が形成されてなる上ガイド部材本体と、この上ガイド部材本体に担持され、搬送路を搬送される原稿の一方の面を開口部を通して読み取る密着型イメージセンサと、該密着型イメージセンサに回転自在に圧接され、原稿を密着型イメージセンサに密着させるプラテンローラとを具備してなる画像読取装置において、密着型イメージセンサの両端部に、嵌合溝が形成された位置決め部材が設けられ、上ガイド部材本体の開口部の両側に、位置決め部材が原稿搬送方向に所定範囲内で移動可能に挿通される挿通穴が形成され、挿通穴に位置決め部材がそれぞれ挿通されて、その嵌合溝がプラテンローラのローラ軸に嵌合することにより、密着型イメージセンサの原稿搬送方向の位置決めがなされているものなので、上ガイド部材本体を画像読取装置に取り付ける時に、位置決め部材が、その嵌合溝をプラテンローラのローラ軸に嵌合させるように原稿搬送方向へ若干移動することで、密着型イメージセンサがプラテンローラの直上に配置される。従って、密着型イメージセンサがプラテンローラに対して直接位置決めされるので、上ガイド部材本体を構成する各部材の製造誤差の累積や組み立て誤差等により、密着型イメージセンサがプラテンローラの直上位置から原稿搬送方向に位置ずれして、画像不具合が発生するのを防止することができる。
【発明を実施するための最良の形態】
【０００９】
搬送路を搬送される原稿の一方の面を読み取るＣＩＳを具備する画像読取装置において、ＣＩＳを担持する上ガイド部材の製造誤差の累積等の影響を受けることなく、ＣＩＳを原稿搬送方向に正確に位置決めするという目的を、最小の部品点数で、且つ安価なコストで実現した。
【実施例】
【００１０】
以下、本発明の実施例に係る画像読取装置について図面に基づいて説明する。図１は、本画像読取装置１の構成を示す概略縦断面図である。画像読取装置１は、本体フレーム２に設けられたＦＢＳ３と、原稿押圧板４に設けられたＡＤＦ５とから構成されている。ＦＢＳ３は、図に詳細は示さないが、厚みのある原稿Ｐ等を読み取る場合に用いられるものであり、本体フレーム２のプラテンガラス６上に載置された原稿Ｐの表面の画像が、移動式の読取手段７により読み取られるものとなっている。一方、ＡＤＦ５は、シート状の原稿Ｐを読み取る場合に用いられるものであり、給紙トレイ８にセットされた原稿Ｐが最上紙Ｐｔから１枚ずつ分離されて搬送路９へと送られ、この原稿Ｐの表面の画像が読取手段７により読み取られ、裏面の画像が密着型イメージセンサ（ＣＩＳ）１０により読み取られ、排紙トレイ１１へと排出される構成となっている。尚、画像読取装置１において、読取手段７は任意の構成であり、ＣＩＳ１０で原稿Ｐの一方の面のみを読み取る構成とすることも可能である。
【００１１】
ＡＤＦ５は、図１に示すように、読み取るべき原稿Ｐの束が載置される給紙トレイ８と、この原稿Ｐの束から最上紙Ｐｔを取り出して給紙口から搬送路９へ繰り込むピックアップローラ１２、セパレートローラ１３、及び分離パッド１４と、給紙トレイ８と排紙トレイ１１とを連通する横Ｕ字形状の搬送路９と、フィードローラ１５及びプレスローラ１６で構成され、搬送路９に適宜配設されて原稿Ｐを下流へ搬送する搬送ローラ１７と、プレスローラ１６をフィードローラ１５に圧接する押圧バネ１８と、押圧バネ１８が嵌着されてなる押圧バネ取付部材１９と、搬送路９の最下位置に配置された読取手段７と、読取手段７の下流側に配置されたＣＩＳ１０と、ＣＩＳ１０の直下に配置された読取ガラス２０に回転自在に圧接され、原稿Ｐを読取ガラス２０に密着させるプラテンローラ２１と、搬送路９の最下流端に配置された排出ローラ２２と、この排出ローラ２２に圧接された押圧ローラ２３と、排出口から排出された原稿Ｐを受ける排紙トレイ１１と、排出された原稿Ｐの後端部を、排出ローラ２２の周面から排紙トレイ１１へと案内する落下補助リブ２４と、原稿Ｐの排出完了を検出するリードセンサ２５と、を具備してなるものである。本実施例では、図に示すように、ＡＤＦ５が、上フレーム２６、中間第１フレーム２７、中間第２フレーム２８、及び下フレーム２９により構成され、この各フレームに前記各部材が取り付けられている。
【００１２】
読取手段７は、本体フレーム２上のプラテンガラス６を通して、搬送路９を搬送される原稿Ｐに光を照射する光源Ｓと、原稿Ｐからの反射光を所定の方向へ導くための反射ミラーＭと、該反射光を収束させるレンズＬと、収束光を電気信号に変換する電荷結合素子（Charge Coupled Device、以下「ＣＣＤ」という。）Ｑとを備えてなる所謂ＣＣＤイメージセンサであり、図に示すように、搬送路９の下方において水平方向に移動可能に配設された移動式の画像読取手段である。
【００１３】
即ち、読取手段７は、ＦＢＳ３及びＡＤＦ５双方の読取手段として用いられるものであり、ＦＢＳ３により原稿Ｐを読み取る際には、プラテンガラス６の下方で水平方向に移動して原稿Ｐを読み取り、ＡＤＦ５により原稿Ｐを読み取る際には読取位置Ｘへ移動するものとなっている。このようにして、搬送路９を搬送されて読取位置Ｘの直上を通過する原稿Ｐの画像を順次読み取るものとなっている。
【００１４】
搬送路９は、図１に示すように、給紙トレイ８と排紙トレイ１１とを連通し、上方から下方へＵ字状に湾曲して形成された搬送経路であり、上フレーム２６、中間第１フレーム２７、中間第２フレーム２８、及び下フレーム２９が所定の間隔をおいて互いに向かい合うことにより形成されている。特に、搬送路９の最下流部は、中間第２フレーム２８と、この中間第２フレーム２８の下方に配置された下フレーム２９によって略水平となるように形成されており、原稿Ｐを排出口から水平方向に排出させているが、これに限られず、搬送路９の最下流部を斜め上方へ傾斜させ、原稿Ｐを排出口から斜め上方へ向って排出させることも可能である。また、中間第２フレーム２８は、その上端部が、画像読取装置１の図示しないフレームに両端部が固定された固定軸３０に対して開閉可能に取り付けられている。これにより、搬送路９において紙詰まりが発生した時に、図９に示すように、上フレーム２６をヒンジ３１を支点として上方へ開いた上で、中間第２フレーム２８を固定軸３０を支点として上方へ回動させることにより、搬送路９の最下流部を露呈させ、搬送路９に詰まった原稿Ｐを取り出すことができるものとなっている。
【００１５】
中間第２フレーム２８は、図１に示すように、搬送路９の最下流部の上側を形成する上ガイド部材３２と、この上ガイド部材３２の上部を覆うように取り付けられた蓋部材３３とを具備してなるものである。上ガイド部材３２には、その原稿搬送方向両端部に係合爪３４が設けられており、この係合爪３４を、蓋部材３３に形成された係合溝３５に係合させることで上ガイド部材３２の上部に蓋部材３３を取り付ける。ここで、係合溝３５の上下幅は、係合爪３４の厚みより若干大きく形成され、係合爪３４を係合溝３５に係合させた時に、係合爪３４と係合溝３５の間には上下方向に若干の遊びが生じるものとなっている。これにより、上ガイド部材３２と上蓋部材３３は、この遊び分だけ互いに上下動自在となっている。更に、図に示すように、上ガイド部材３２には、付勢バネ３６の一端部が取り付けられ、この付勢バネ３６の他端部が蓋部材３３に取り付けられており、蓋部材３３は、上フレーム２６の内側面に下方に向って突設された図示しない突片が当接することで上方向への移動が規制されているので、上ガイド部材３２が付勢バネ３６によって下方に付勢されている。
【００１６】
図２乃至図５は、上ガイド部材３２の構成を示す図であり、図２は概略斜視図、図３は概略底面図、図４は図２におけるＡ−Ａ断面を示す図、図５はＣＩＳ１０の上ガイド部材本体への取り付け構造を示す分解斜視図である。図２乃至図５に示すように、上ガイド部材３２は、底部３７を貫通して形成された開口部３８に読取ガラス２０が嵌合されてなる上ガイド部材本体３９に、水平部４０、垂直部４１、及び取付部４２を具備してなる位置決め部材４３が両端部に取り付けられたＣＩＳ１０と、このＣＩＳ１０の位置を原稿搬送方向と直交する方向に調整する高さ調整ねじ４４と、前記排出ローラ２２に圧接される押圧ローラ２３とが取り付けられてなるものである。
【００１７】
上ガイド部材本体３９は、図２に示すように、上部が開口された略箱型の形状を有する樹脂等からなる部材である。この上ガイド部材本体３９は、図２及び図５に示すように、開口部３８の原稿幅方向両側に突設された読取手段支持部４５と、この読取手段支持部４５の若干内側に形成された挿通穴４６と、この挿通穴４６の更に内側に突設され、前記付勢バネ３６が取り付けられる付勢バネ取付部４７と、原稿搬送方向両端部に設けられた係合爪３４とを具備してなるものである。
【００１８】
読取手段支持部４５は、図４及び図５に示すように、ＣＩＳ１０の両端部を下方から支持するためのものであり、上ガイド部材本体３９の開口部３８の原稿幅方向両側に、その底部３７から上方へ突出してそれぞれ設けられている。この読取手段支持部４５は、円筒形状を有し、その上面は、ＣＩＳ１０の両端部を安定して載置できるよう、平坦な面として形成されている。また、読取手段支持部４５には、その上面から上ガイド部材本体３９の底面３９ａまで達するねじ孔４８が形成されている。尚、読取手段支持部４５の形状は、円筒形状に限られず、例えば、角柱形状であってもよく、ＣＩＳ１０の両端部を下方から支持できるよう所定の高さ寸法を有し、ねじ孔４８が形成されていれば、適宜設計変更が可能である。
【００１９】
挿通穴４６は、ＣＩＳ１０の両端部に取り付けられた位置決め部材４３の垂直部４１が挿通されるものであり、図４及び図５に示すように、読取手段支持部４５の原稿幅方向内側に、底部３７を貫通するように形成されている。この挿通穴４６は、横断面が略矩形であり、その原稿搬送方向寸法は、位置決め部材４３の垂直部４１の原稿搬送方向寸法より大きく、また、原稿幅方向寸法は、垂直部４１の原稿幅方向寸法と略等しいか若干大き目に形成されている。従って、位置決め部材４３の垂直部４１を挿通穴４６に挿通させた時に、図に詳細は示さないが、垂直部４１と挿通穴４６との間には原稿搬送方向に若干の隙間が生じるので、この隙間分だけ、位置決め部材４３は原稿搬送方向に所定範囲内で移動可能となっている。ここで、所定範囲とは、前記隙間の大きさを意味しており、上ガイド部材本体３９を構成する各部材の製造誤差の累積、及び組み立て誤差等が最大でどの程度の大きさとなるかを予測して、その最大値より若干大きめとしておくのが好適である。このように、ＣＩＳ１０を、上ガイド部材本体３９に対してねじ等で固定せず、上ガイド部材本体３９に対して原稿搬送方向に移動可能としたことにより、ＣＩＳ１０をプラテンローラ２１に対して直接位置決めして、プラテンローラ２１の直上位置へと移動させることが可能となっている。これにより、ＣＩＳ１０とプラテンローラ２１の相対的な位置関係が、上ガイド部材本体３９を構成する各部材の製造誤差の累積、及び組み立て誤差等の影響を受けることを防止している。
【００２０】
図６は、ＣＩＳ１０の構成を示す分解斜視図である。図に示すように、ＣＩＳ１０は、ＣＩＳ本体４９と、このＣＩＳ本体４９の長手方向両端部に取り付けられた左右一対の位置決め部材４３とを具備してなるものである。ＣＩＳ本体４９は、図に詳細は示さないが、原稿Ｐに対して光源から光を照射し、その反射光を収束性ファイバで光導電素子上に収束して読み取る固定式の読取手段である。このＣＩＳ１０が精度良く画像読み取りを行うためには、ＣＩＳ１０から原稿Ｐまでの距離が、そのＣＩＳ本体４９の焦点距離と一致している必要がある。従って、本発明では、ＣＩＳ１０の直下に、このＣＩＳ１０に回転自在に圧接され、原稿ＰをＣＩＳ１０に密着させるプラテンローラ２１を配置することにより、ＣＩＳ１０から原稿Ｐまでの距離をＣＩＳ１０の焦点距離と一致させるものである。ここで、プラテンローラ２１がＣＩＳ１０に圧接されているとは、ＣＩＳ１０から原稿Ｐまでの距離がＣＩＳ本体４９の焦点距離に一致した状態を広く指し示し、その実施態様は、ＣＩＳ本体４９の種類等により異なるものである。例えば、本実施例では、Ａ３サイズの原稿Ｐに対応可能なＣＩＳ本体４９を使用しており、このＣＩＳ本体４９は焦点距離が比較的深いものである。従って、ＣＩＳ１０の直下に読取ガラス２０を配置して、この読取ガラス２０に圧接するようプラテンローラ２１を配置することで、原稿Ｐを読取ガラス２０に密着させている。これにより、ＣＩＳ１０から原稿Ｐまでの距離を、読取ガラス２０の厚み分だけ確保して、ＣＩＳ本体４９の焦点距離に一致させている。しかし、焦点距離の浅いＣＩＳ本体４９を用いる場合には、読取ガラス２０を設置せずに、プラテンローラ２１を、開口部３８を通してＣＩＳ本体４９の図示しない読取領域に直接圧接することも可能である。また、ＣＩＳ本体４９の両端部には、位置決め部材４３を取り付けるための貫通孔５０が形成されている。尚、本実施例では、ＣＩＳ本体４９と位置決め部材４３を別部材として構成したが、もちろん両者を一体化して形成することも可能である。
【００２１】
位置決め部材４３は、搬送路９を搬送される原稿Ｐに対して、ＣＩＳ１０の原稿搬送方向の位置、及び原稿搬送方向と直交する方向の位置、本実施例では原稿Ｐからの高さ位置を位置決めするものである。図７及び図８は、位置決め部材４３の構成を示す図であり、図７は概略斜視図、図８は概略底面図である。図に示すように、位置決め部材４３は、ＣＩＳ１０の原稿Ｐからの高さ位置の位置決めを行う水平部４０と、原稿搬送方向の位置決めを行う垂直部４１と、ＣＩＳ本体４９に取り付けるための取付部４２とを備えてなるものである。
【００２２】
水平部４０は、図７及び図８に示すように、平板状の部材であり、その裏面が、前記読取手段支持部４５を受ける面である受け面４０ａとなっている。本実施例では、受け面４０ａを平坦な面として形成し、また、読取手段支持部４５の上面を平坦な面として形成したことにより、ＣＩＳ１０の両端部を読取手段支持部４５上に安定して載置することが可能となっている。
【００２３】
垂直部４１は、図７及び図８に示すように、水平部４０の一端部から該水平部４０と略直交して下方へ延び、その下端部に、下方に向って開口したＵ字形状の溝であるＵ字溝４１ａ（嵌合溝）が形成されている。このＵ字溝４１ａの形状は、図４に示すように、プラテンローラ２１のローラ軸２１ａと嵌合する形状であれば、Ｕ字形状に限定されず、例えば凹型の溝とすることも可能である。但し、Ｕ字溝４１ａの原稿搬送方向幅は、ローラ軸２１ａと嵌合した状態で垂直部４１が原稿搬送方向に位置ずれしないよう、ローラ軸２１ａの外径と略等しくするのが好適である。これにより、ＣＩＳ１０は、原稿Ｐに対する原稿搬送方向の位置が確実に位置決めされ、良好な画像読み取りを行うことができる。
【００２４】
取付部４２は、図７に示すように、水平部４０の上部に突設された略円筒形状を有するものであり、その上端部は小径に形成されている。また、取付部４２には、その上端部側からねじ孔５１が形成されている。この取付部４２の上端部を、図６に示すように、ＣＩＳ本体４９の貫通孔５０に嵌合させ、ねじ５２をねじ孔５１に螺合させることにより、位置決め部材４３をＣＩＳ本体４９の両端部にそれぞれ固定している。
【００２５】
以上のように構成されたＣＩＳ１０は、図４（ａ）に示すように、上ガイド部材本体３９によって担持されている。本発明において担持とは、ＣＩＳ１０が上ガイド部材本体３９によって下方から支持され、且つ、原稿搬送方向にも、原稿Ｐからの高さ方向にも移動可能な状態であることをいう。本実施例では、図５に示すように、位置決め部材４３の垂直部４１が挿通穴４６に挿通され、水平部４０の受け面４０ａが読取手段支持部４５上に接離可能に載置されることにより、ＣＩＳ１０が上ガイド部材本体３９によって担持されている。尚、接離可能とは、受け面４０ａと読取手段支持部４５とが接合された状態にあり、受け面４０ａに力を加えることで両者を離間させることが可能な構成をいう。このように、読取手段支持部４５を設けて、この上にＣＩＳ１０を載置したのは、図５に示すように、読取手段支持部４５に形成されたねじ孔４８に高さ調整ねじ４４を螺合して、この高さ調整ねじ４４によってＣＩＳ１０の高さ位置を調整可能とするためである。しかし、ＣＩＳ１０の高さ方向への位置調整が不要な場合には、読取手段支持部４５設けず、ＣＩＳ本体４９を上ガイド部材本体３９の底部３７の上に直接載置することにより、ＣＩＳ１０を上ガイド部材本体３９で担持することも可能である。このように、ＣＩＳ１０を、上ガイド部材本体３９に対してねじ等で固定せずに取り付けたことにより、ＣＩＳ１０を上ガイド部材本体３９から容易に取り外すことが可能となっている。従って、図１に示す両面読取機である画像読取装置１において、ＣＩＳ１０とプラテンローラ２１を取り外して片面読取機とする場合に、ＣＩＳ１０を取り外しやすく、作業性が向上するという利点がある。
【００２６】
また、図１に示すように、ＣＩＳ１０の上面には付勢バネ５３の一端部が固定され、この付勢バネ５３の他端部が蓋部材３３に固定されており、蓋部材３３は、上フレーム２６の内側面に下方に向って突設された図示しない突片が当接することで上方向への移動が規制されているので、ＣＩＳ１０が付勢ばね５３によって下方に付勢され、受け面４０ａが読取手段支持部４５に圧接されている。従って、搬送路９の最下流部を上方に傾斜して形成した場合でも、ＣＩＳ１０が、その自重により原稿搬送方向に位置ずれせずに、良好な画像読み取り行うことが可能となっている。しかし、本実施例では、搬送路９の最下流部が水平に形成されており、読取手段支持部４５上に載置されたＣＩＳ１０がその自重により原稿搬送方向に位置ずれすることがないので、付勢ばね５３を省略することも可能である。
【００２７】
ここで、図４（ａ）は、ＣＩＳ１０を上ガイド部材本体３９に取り付けた状態における図２のＡ−Ａ断面図であるが、図に示すように、上ガイド部材本体３９は、付勢バネ３６で下方へ付勢されており、その底部３７に配置された読取ガラス２０が、プラテンローラ２１に対して圧接されている。これにより、搬送路９を搬送される原稿Ｐは、プラテンローラ２１によって読取ガラス２０に密着されるものとなっている。一方、ＣＩＳ１０は、その両端部が読取手段支持部４５上に載置され、その自重により、また、付勢バネ５３から受ける付勢力により読取手段支持部４５に対して押圧されている。この時、ＣＩＳ本体４９から、読取ガラス２０に密着された原稿Ｐまでの距離Ｄ１が、ＣＩＳ本体４９の前記焦点距離と等しくなっており、ＣＩＳ本体４９による良好な画像読み取りが可能となっている。
【００２８】
高さ調整ねじ４４は、ＣＩＳ１０の原稿Ｐからの高さ位置を調整して、ＣＩＳ本体４９の焦点距離に一致させるためのものであり、読取手段支持部４５の上面から出没可能となるようにねじ孔４８に螺合されている。本実施例では、図４及び図５に示すように、ねじ孔４８が、読取手段支持部４５の上面から上ガイド部材本体３９の底面３９ａまで達するように形成され、このねじ孔４８より長尺のねじ部４４ａを有する高さ調整ねじ４４が、上ガイド部材本体３９の底面３９ａ側からねじ孔４８に螺合されている。この高さ調整ねじ４４の先端は、図４（ａ）に示すように、読取手段支持部４５の上面と略面一となっており、ＣＩＳ１０を読取手段支持部４５上に載置した時に、高さ調整ねじ４４の先端が受け面４０ａに当接するものとなっている。これにより、高さ調整ねじ４４を進める方向に回し、図４（ｂ）に示すように、その先端を読取手段支持部４５の上面から突出させて受け面４０ａを持ち上げることで、ＣＩＳ１０を原稿Ｐから遠ざけることができ、ＣＩＳ１０を原稿Ｐから遠ざけ過ぎた場合には、高さ調整ねじ４４を後退させる方向に回して、ＣＩＳ１０を原稿Ｐに近づけることが可能となっている。従って、上ガイド部材３２を構成する各部材の製造誤差の累積、及び組み立て誤差等により、また、ＣＩＳ１０の各個体間における焦点距離のばらつきにより、ＣＩＳ本体４９から原稿Ｐまでの距離が、そのＣＩＳ本体４９が有する焦点距離に一致せず画像不具合が発生する場合に、ＣＩＳ１０の両端部について、原稿Ｐからの高さ位置を高さ調整ねじ４４でそれぞれ調整し、ＣＩＳ本体４９から原稿Ｐまでの距離Ｄ２をＣＩＳ本体４９の焦点距離と合わせることにより、ＣＩＳ１０による良好な画像読み取りを行なうことが可能となっている。尚、高さ調整ねじ４４は、ねじ孔４８より長尺のねじ部４４ａを有するものに限られず、例えば、図に詳細は示さないが、所謂止めねじのように、頭部がなく全長に渡ってねじ部を有するものをねじ孔に埋没させるように螺合させることも可能である。
【００２９】
また、本実施例では、高さ調整ねじ４４を上ガイド部材本体３９の底面３９ａ側からねじ孔４８に螺合させたので、ＣＩＳ１０の原稿Ｐからの高さ位置を調整したい場合には、図９に示すように、上フレーム２６を開いて、中間第２フレーム２８を固定軸３０を支点として回動させることで、上ガイド部材本体３９の底面３９ａ側から図示しないドライバ等を用いて前記高さ調整ねじ４４を回すことが可能となっている。従って、中間第２フレーム２８を画像読取装置１から取り外して分解することなく、ＣＩＳ１０の位置を容易に調整することができるので、調整作業に要する手間と時間を削減することができる、という利点がある。
【００３０】
押圧ローラ２３は、図２及び図３に示すように、両端部が上ガイド部材本体３９に回転自在に支持されたローラ軸２３ａと、このローラ軸２３ａの軸方向に所定の間隔で設けられ、上ガイド部材本体３９の底部３７を貫通して形成された角穴５４から一部を突出させるように設けられたローラ本体２３ｂとを具備してなるものである。この押圧ローラ２３の各ローラ本体２３ｂ間には、図１に示すように、ローラ軸２３ａを下方に付勢するようにしてコイルスプリング５５が配設されており、このコイルスプリング５５の他端は上蓋部材３３に取り付けられている。従って、押圧ローラ２３は、そのローラ本体２３ｂが排出ローラ２２に圧接され、排出ローラ２２の回転に従動して回転するものとなっている。これにより、搬送路９を搬送される原稿Ｐは、その先端部が排出ローラ２２と押圧ローラ２３によってニップされ、下流側へと搬送されるものとなっている。
【００３１】
以下、本画像読取装置１における、ＣＩＳ１０の原稿搬送方向の位置決め動作について説明する。ＣＩＳ１０の原稿搬送方向の位置決めが行われるのは、画像読取装置１の組み立て工程における中間第２フレーム２８の取り付け時、及び、画像読取装置１のメンテナンス時、すなわち、中間第２フレーム２８を上方へ開き、搬送路９に詰まった原稿Ｐを除去したり、ＣＩＳ１０の高さ位置を調整を行う等のメンテナンス作業を行った後に、中間第２フレーム２８を閉じる際、等である。図１０及び図１１は、ＣＩＳ１０の原稿搬送方向の位置決め動作について説明するための図であり、開放された中間第２フレーム２８を閉じる際における、ＣＩＳ１０近傍を拡大した図である。図１０（ａ）に示すように、中間第２フレーム２８を開いた状態では、中間第２フレーム２８が傾斜するので、ＣＩＳ１０が読取ガラス２０の直上から原稿搬送方向に若干位置ずれする場合がある。この状態から、中間第２フレーム２８を下方へ回動させると、図１０（ｂ）に示すように、位置決め部材４３の垂直部４１の先端部がプラテンローラ２１のローラ軸２１ａに接触し、ローラ軸２１ａから受ける力により、ＣＩＳ１０は上方へと持ち上げられる。ここで、図７に示すように、垂直部４１の先端部には、ローラ軸２１ａに引っ掛かることを防止するために、下方に向って傾斜した傾斜部４１ｂが形成されており、この傾斜部４１ｂの両縁部は面取りされている。これにより、ローラ軸２１ａは、図１１（ａ）に示すように、この傾斜部４１ｂによってＵ字溝４１ａの方向へと案内され、図１１（ｂ）に示すように、Ｕ字溝４１ａに嵌合する。この時、ＣＩＳ１０は、プラテンローラ２１の直上、すなわち、プラテンローラ２１と読取ガラス２０の接触位置Ｃの直上に配置されるものとなっている。以上のようにして、ＣＩＳ１０の原稿搬送方向の位置決めがなされ、ＣＩＳ１０による良好な画像読み取りが可能となっている。
【産業上の利用可能性】
【００３２】
本発明は、移動式の読取手段と密着型イメージセンサで原稿の両面を読み取る構成のみならず、密着型イメージセンサで原稿の片面のみを読み取る構成とすることも可能である。
【図面の簡単な説明】
【００３３】
【図１】本発明の実施例に係る画像読取装置１の構成を示す概略縦断面図
【図２】上ガイド部材３２の構成を示す概略斜視図。
【図３】上ガイド部材３２の構成を示す概略底面図。
【図４】図２におけるＡ−Ａ断面を示す図。
【図５】ＣＩＳ１０の取り付け構造を示す分解斜視図。
【図６】ＣＩＳ１０の構成を示す分解斜視図。
【図７】位置決め部材４３の構成を示す概略斜視図。
【図８】位置決め部材４３の構成を示す概略底面図。
【図９】画像読取装置１の上フレーム２６、及び中間第２フレーム２８を開けた状態を示す概略縦断面図。
【図１０】ＣＩＳ１０の原稿搬送方向の位置決め動作について説明する説明図。
【図１１】ＣＩＳ１０の原稿搬送方向の位置決め動作について説明する説明図。
【図１２】従来例に係る画像読取装置における画像読取部７０を示す概略縦断面図。
【符号の説明】
【００３４】
１    画像読取装置
８    給紙トレイ
９    搬送路
１０    密着型イメージセンサ（ＣＩＳ）
１１    排紙トレイ
２１    プラテンローラ
２１ａ    ローラ軸（プラテンローラ）
３７    底部（上ガイド部材本体）
３８    開口部（上ガイド部材本体）
３９    上ガイド部材本体
４１ａ    Ｕ字溝（嵌合溝）
４３    位置決め部材
４６    挿通穴
Ｐ    原稿
【図１】
2005167851.tif 000003
【図２】
2005167851.tif 000004
【図３】
2005167851.tif 000005
【図４】
2005167851.tif 000006
【図５】
2005167851.tif 000007
【図６】
2005167851.tif 000008
【図７】
2005167851.tif 000009
【図８】
2005167851.tif 000010
【図９】
2005167851.tif 000011
【図１０】
2005167851.tif 000012
【図１１】
2005167851.tif 000013
【図１２】
2005167851.tif 000014